(57)【要約】【課題】  従来より電気機器に流れる電流は、始動時に過大な突入電流が発生し、回路内の使用機器に問題を与えていた。    特に多数の機器が結線された回路に電流を投入すると過大な突入電流が流れ、テレビや蛍光灯等の灯具のちらつきが起きたり、配電盤のブレーカが働き電源カットが起きるという問題が発生していた。特に最近は、突入電流、又は突入電流による電源電圧の大変動により、コンピュータの電源が突然切れ、保存していないデータが全部消失するという大きな問題が発生していた。【解決手段】  そのための突入電流の抑制制御装置を提供する。【選択図】図１
2012064185.tif 000002
【特許請求の範囲】
【請求項１】
交流電源Ｓのプラス側回路の下流側には、トランジスタＴｒとコンデンサＣとダイオードＤとの組合せによって構成された電流制御ユニットＵ１が配置されており、機器Ａのプラス側に連結され、一方、交流電源Ｓのマイナス側回路の下流側は、電流制御ユニットＵ２が配置され、機器Ａのマイナス側に連結されており、電流制御ユニットＵ１と電流制御ユニットＵ２内部の回路は、同一の構成となっており、電源投入時に発生する突入電流を抑制する電気機器の突入電流制御装置。
【請求項２】
電流制御ユニットＵ１及び電流制御ユニットＵ２の名部回路構成は、
トランジスタＴｒ１、Ｔｒ２は、電流を制限する素子であって、コンデンサＣ１に一定の電荷が蓄積されるまでトランジスタＴｒ１が、出力電流を制御し、
抵抗Ｒ１は、コンデンサＣ１に電荷を蓄積する速さを制御し、
抵抗Ｒ３は、回路に流れる電流を検出するための素子であって、Ｒ３両端の電位差が、トランジスタＴｒ２をＯＮにする電位になると、トランジスタＴｒ２が、ＯＮになることにより、トランジスタＴｒ１の電流制限が働き、
抵抗Ｒ２は、コンデンサＣ１に蓄えられた電荷が、トランジスタＴｒ１に流れ込む電流を一定にすることにより、トランジスタＴｒ１を保護する機能を有し、
ダイオードＤ１は、交流波形でマイナス側になった場合に、コンデンサＣ１に蓄えられた電荷を保持し、
ダイオードＤ２、Ｄ３は、交流波形でプラス側の電流だけを流し、交流波形が、マイナス側のときは、電流制御ユニットＵ２が働いて、制御することを特徴とする請求項１記載の電気機器の突入電流制御装置。
【請求項３】
交流電源Ｓのプラス側からの回路１は、その下流側には電流制御ユニットＵ１が配置され、交流電源Ｓのマイナス側の下流側には電流制御ユニットＵ２が同様に配置され、電流制御ユニットＵ１、Ｕ２の上流側に、ノイズフィルタＦが、挿入配置されていることを特徴とする請求項１、又は請求項２記載の電気機器の突入電流制御装置。
【発明の詳細な説明】
【技術分野】
【０００１】  本発明は、電気機器の始動時の突入電流制御装置に関する。
【背景技術】
【０００２】  従来より電気機器に流れる電流は、始動時に過大な突入電流が発生し、回路内の使用機器に問題を与えていた。
特に機器単体では影響度は少ないが、多数の機器が結線された回路に電流を投入すると過大な突入電流が流れ、テレビや蛍光灯等の灯具のちらつきが起きたり、配電盤のブレーカが働き電源カットが起きるという問題が発生していた。特に最近は、コンピュータが多用されるようになり、突入電流、又は突入電流による電源電圧の大変動により、コンピュータの電源が突然切れ、保存していないデータが全部消失するという大きな問題が発生していた。そのため突入電流の抑制制御装置が望まれていた。
【発明の概要】
【発明が解決しようとする課題】
【０００３】  本発明は、これらの問題を解消しようとする電気機器の始動時の突入電流制御装置を提供するものである。
【課題を解決するための手段】
【０００４】  交流電源Ｓのプラス側回路の下流側には、トランジスタＴｒとコンデンサＣとダイオードＤとの組合せによって構成された電流制御ユニットＵ１が配置されており、機器Ａのプラス側に連結され、一方、交流電源Ｓのマイナス側回路の下流側は、電流制御ユニットＵ２が配置され、機器Ａのマイナス側に連結されており、電流制御ユニットＵ１と電流制御ユニットＵ２内部の回路は、同一の構成となっており、電源投入時に発生する突入電流を抑制する電気機器の突入電流制御装置を提供する。【０００５】  電流制御ユニットＵ１及び電流制御ユニットＵ２の名部回路構成は、
トランジスタＴｒ１、Ｔｒ２は、電流を制限する素子であって、コンデンサＣ１に一定の電荷が蓄積されるまでトランジスタＴｒ１が、出力電流を制御し、
抵抗Ｒ１は、コンデンサＣ１に電荷を蓄積する速さを制御し、
抵抗Ｒ３は、回路に流れる電流を検出するための素子であって、Ｒ３両端の電位差が、トランジスタＴｒ２をＯＮにする電位になると、トランジスタＴｒ２が、ＯＮになることにより、トランジスタＴｒ１の電流制限が働き、
抵抗Ｒ２は、コンデンサＣ１に蓄えられた電荷が、トランジスタＴｒ１に流れ込む電流を一定にすることにより、トランジスタＴｒ１を保護する機能を有し、
ダイオードＤ１は、交流波形でマイナス側になった場合に、コンデンサＣ１に蓄えられた電荷を保持し、
ダイオードＤ２、Ｄ３は、交流波形でプラス側の電流だけを流し、交流波形が、マイナス側のときは、電流制御ユニットＵ２が働いて、制御することを特徴とする請求項１記載の電気機器の突入電流制御装置を提供する。【０００６】  交流電源Ｓのプラス側からの回路１は、その下流側には電流制御ユニットＵ１が配置され、交流電源Ｓのマイナス側の下流側には電流制御ユニットＵ２が同様に配置され、電流制御ユニットＵ１、Ｕ２の上流側に、ノイズフィルタＦが、挿入配置されていることを特徴とする請求項１、又は請求項２記載の電気機器の突入電流制御装置を提供する。
【発明の効果】
【０００７】（１）始動時の過大な突入電流を抑制し、テレビや蛍光灯等の灯具のちらつきを防止することができる。
（２）過大な突入電流による配電盤のブレーカが作動し電源カットが起きるという問題を防止することができる。
（３）特に突入電流の増大、又は突入電流による電源電圧の大幅低下により、コンピュータの電源が突然切れ、保存していないデータが全部消失するという大きな問題を防止することができる。
（４）過大な突入電流による悪影響を抑制することで、外乱に敏感な各種の省電力型機器を適用できることより省エネルギー対策となる。
（５）ノイズフィルタを併設することにより、通常領域においても、定常ノイズと呼ばれる外乱も同時に除くことができる。
【図面の簡単な説明】
【０００８】
【図１】実施例１の全体回路図である。
【図２】実施例２の全体回路図である。
【図３】従来の突入電流発生状況を示す状態図である。
【図４】本発明の突入電流発生状況を示す状態図である。
【発明を実施するための形態】
【０００９】  本発明は、発明の効果に前述した如く、電気機器に流れる電流は、始動時に過大な突入電流が発生し、テレビや蛍光灯等の灯具のちらつきが起きたり、配電盤のブレーカが働き電源カットが起きるという問題が発生していた。
特に最近は、コンピュータが多用されるようになり、突入電流、又は突入電流による電源電圧の大変動により、コンピュータの電源が突然切れ、保存していないデータが全部消失するという大きな問題が発生していた。
そのための突入電流の抑制制御装置を提供するものである。
また、安定してきた通常領域においても、定常ノイズと呼ばれる外乱があり、これも同時に除くことがさらに望まれていた。
【００１０】  なお、本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【実施例１】
【００１１】  以下、本発明の実施例について、図面を参照しながら説明する。
図１は、本発明の実施例１の全体回路図である。【００１２】  交流電源Ｓのプラス側からの回路１は、ヒューズ等の遮断装置２を介して、その下流側には、トランジスタＴｒと、コンデンサＣ、とダイオードＤとの組合せによって構成された電流制御ユニットＵ１が配置されている。【００１３】  次に電流制御ユニットＵ１内部の回路を説明すると、
回路３には、並列に分岐された回路４によりダイオードＤ３の一方に結線され、更に回路３の下流側には、同様に並列分岐された回路５により抵抗Ｒ１を介してダイオードＤ１の一方に結線され、更に回路３の下流側は、トランジスタＴｒ１に結線されている。【００１４】  前記トランジスタＴｒ１より並列分岐された回路６は抵抗Ｒ２を介して、前記ダイオードＤ１の下流側回路７に結線されている。
前記トランジスタＴｒ１の下流側回路８には、並列分岐された回路９が設けられ、コンデンサＣ１の一方に結線され、該コンデンサＣ１の他方は、回路１０により、前記ダイオードＤ１の下流側回路１１に結線されている。
前記トランジスタＴｒ１の下流側の回路１２には、並列分岐された回路１３が設けられトランジスタＴｒ２に接続されている。【００１５】  ダイオードＤ１の下流側の回路１４はトランジスタＴｒ２の一方に結線されており、更に前記トランジスタＴｒ１の下流側の回路１５は抵抗Ｒ３に連結され、該抵抗Ｒ３の下流の回路１６は、トランジスタＴｒ２の下流側回路１７により、並列接続されている。【００１６】  更に下流側回路１８は、ダイオードＤ２の一方に連結され、該ダイオードＤ２の下流側回路１９は、並列分岐された回路２０によりダイオードＤ３の他方に連結され、下流側回路１９は分岐の後、回路２１により機器Ａのプラス側に連結されている。【００１７】  一方、交流電源Ｓのマイナス側には、電流制御ユニットＵ２が配置されている。
電流制御ユニットＵ２内部の回路は、電流制御ユニットＵ１と同様の構成となっており、機器Ａのマイナス側に連結されている。【００１８】  次に、電流制御ユニットＵ１と、Ｕ２の回路の機能について説明する。
トランジスタＴｒ１、Ｔｒ３は、電流を制限する主たる素子であって、コンデンサＣ１に、一定の電荷が蓄積されるまでトランジスタＴｒ１が、出力電流を遮断する。【００１９】  抵抗Ｒ１は、コンデンサＣ１に電荷を蓄積する速さを制御する素子で、抵抗Ｒ１の値が大きければ、時間が長くなる。
抵抗Ｒ３は、回路に流れる電流を検出するための素子で、Ｒ３両端の電位差が、トランジスタＴｒ２をＯＮにする電位になると、トランジスタＴｒ２が、ＯＮになる。
トランジスタＴｒ２が、ＯＮになることにより、トランジスタＴｒ１の電流制限が働く。【００２０】  抵抗Ｒ２は、コンデンサＣ１に蓄えられた電荷が、トランジスタＴｒ１に流れ込む電流を一定にすることにより、トランジスタＴｒ１を保護する役割をもつ。【００２１】  ダイオードＤ１は、交流波形でマイナス側になった場合も、コンデンサＣ１に蓄えられた電荷を保持する。
ダイオードＤ２、Ｄ３は、交流波形でプラス側の電流だけを流す。【００２２】  交流波形が、マイナス側のときは、電流制御ユニットＵ２が働いて、制御するのである。【００２３】図３は、従来の突入電流発生状況を示すもので、安定してきた通常領域の電流値Ｃ２に対し、突入電流Ｃ１は、
Ｃ１＝（２．０〜２００）×Ｃ２
と極めて過大となり、前述の機器の損傷や問題を発生するのである。【００２４】  図４は、本発明の突入電流制御装置を設けた状態の突入電流発生状況を示すもので、安定後の電流値Ｃ２に対し、
突入電流Ｃ３は、Ｃ３＝（１．１〜４．０）×Ｃ２
と極めて減少され、機器の損傷や問題を防ぐことができるのである。【００２５】  実使用時の実験例においては、蛍光灯Ｈｆ３２ワットの１灯での実使用において、Ｃ２＝０．４６アンペアに対し突入電流Ｃ１は、２０アンペアを示した。
次に本発明の突入電流制御装置を設けた状態では、Ｃ２＝０．４６アンペアに対し突入電流Ｃ３は、０．９アンペアと極めて優れた抑制効果を発揮している。【００２６】  更に突入電流を抑制することは、よりノイズに敏感な各種機器も適用できるようになるため、結果的に大きな省電力効果を発揮することができる。【００２７】  機器Ａは、各種の機器が対応可能である。
例えば、蛍光灯、白熱灯、ＬＥＤ等の灯具を初め、電子レンジ、電子オーブン、エアコン、アイロン等の各種機器の電流投入時も、広範な範囲で、その効果を発揮できるのである。
【実施例２】
【００２８】  図２に実施例２の突入電流制御装置の全体回路図を示す。
本実施例２は、実施例１の効果を更に高めたものである。
交流電源Ｓのプラス側からの回路１は、ヒューズ等の遮断装置２を介して、その下流側には電流制御ユニットＵ１が配置され、交流電源Ｓのマイナス側の下流側には電流制御ユニットＵ２が同様に配置されている。【００２９】  本実施例２においては、電流制御ユニットＵ１、Ｕ２の上流側に、ノイズフィルタＦが、挿入配置されている。
ノイズフィルタＦは、安定状態となった後の通常領域においても、機器Ａに与える外乱である定常ノイズをカットし、更に機器に提供される電流、電圧の安定を高める効果を発揮することができる。
【産業上の利用可能性】
【００３０】  本発明の活用例としては、以上説明したように、突入電流の抑制効果により、安定した回路形成ができるため、大きな領域での機器の保護を可能にし、更に省エネルギー効果も発揮するため、現代の地球的課題である温暖化防止に大きく寄与できると共に、新商品による産業の発展にも貢献できるきわめて実用的な発明である。
【符号の説明】
【００３１】Ｓ          交流電源
Ｕ１、Ｕ２  電流制御ユニット
Ｆ          ノイズフィルタ
Ａ          機器
１〜２１    回路
【図１】
2012064185.tif 000003
【図２】
2012064185.tif 000004
【図３】
2012064185.tif 000005
【図４】
2012064185.tif 000006